(57)【要約】【課題】従来のサムネイル表示方法は、複数のメディアに格納されたコンテンツを同時に表示する際に文字情報のみでメディア識別を行う手法であるが、色情報を利用した、より直感的な識別方法については示されていない。【解決手段】  サムネイル表示状態において、コンテンツを表す色をメディア毎に分け、ユーザがコンテンツを選択したと同時に、そのコンテンツが格納されているメディアに付随したアクセスLEDをコンテンツと同色に点灯させることで、選択したコンテンツがどのメディアに格納されているかを容易に判別できることを可能とした記録再生装置。【選択図】  図３
2009277281.tif 000002
【特許請求の範囲】
【請求項１】
コンテンツを記録再生する記録再生装置において、
前記記録再生装置に着脱可能であり、前記コンテンツが記録される記録媒体と、
前記記録媒体が接続される複数のスロットと、
前記記録媒体が接続されているスロットに関するスロット情報を含む情報が格納される情報格納部と、
表示画面を制御する表示制御部と、を有し、
前記表示制御部は、前記スロット情報を用いて、前記コンテンツが記録される記録媒体が前記複数のスロットのいずれに接続されているかを色分け表示するように前記表示画面を制御することを特徴とする記録再生装置。
【請求項２】
コンテンツを記録再生する記録再生装置において、
前記記録再生装置に着脱可能であり、前記コンテンツが記録される記録媒体と、
前記記録媒体が接続される複数のスロットと、
前記記録媒体が接続されているスロットに関するスロット情報を含む情報が格納される情報格納部と、
前記記録媒体に記録されたコンテンツを複数表示するように表示画面を制御する表示制御手段と、
前記表示画面に表示されるコンテンツを選択する選択手段と、
前記複数のスロット毎に対応して設置され、発光する複数の発光部と、を有し、
前記選択手段によりコンテンツが選択されたときに、前記選択手段により選択されたコンテンツにかかる前記スロット情報を用いて、前記選択手段により選択されたコンテンツが格納されたスロットに対応した発光部が発光することを特徴とする記録再生装置。
【請求項３】
請求項１に記載の記録再生装置において、
前記複数のスロット毎に対応して設置され、発光する複数の発光部と、を有し、
前記表示制御部は、前記スロット情報を用いて、前記コンテンツが記録される記録媒体が前記複数のスロットのいずれに接続されているかを、前記発光部の発光色と対応した色にて色分け表示するように前記表示画面を制御することを特徴とする記録再生装置。
【請求項４】
請求項２に記載の記録再生装置において、
前記表示制御部は、前記スロット情報を用いて、前記コンテンツが記録される記録媒体が前記複数のスロットのいずれに接続されているかを、前記発光部の発光色と対応した色にて色分け表示するように前記表示画面を制御することを特徴とする記録再生装置。
【発明の詳細な説明】
【技術分野】
【０００１】
本発明は、記録再生装置に関する。
【背景技術】
【０００２】
テレビジョン番組を記録する既存のビデオレコーダには、複数のメディアが挿入された場合にも一覧表示可能な機能を有するものがある。従来装置では文字情報を用いる、もしくは表示領域を区切ることによって、コンテンツがどのメディアに格納されているかを判断する機能を有している。(特許文献１)
また、テレビジョン番組を記録する媒体としては、DVD（Digital Versatile Disk）、HDD（Hard Disk Drive）の他にiVDR（Information Versatile Disk for Removable usage）というリムーバブル記録媒体が存在し、複数のiVDRの中身を一度にサムネイル表示することで、編集作業が容易なインターフェイス手法が提案されている。(特許文献２)
【特許文献１】特開２００７−５８９８５号公報
【特許文献２】特開２００７−９６９３７号公報
【発明の開示】
【発明が解決しようとする課題】
【０００３】
特許文献1、特許文献２に開示されているサムネイル表示方法は、文字情報又は表示領域を分ける等による表示方法であり、どのコンテンツがどのメディアに格納されているかを瞬時に把握することは困難であり、ユーザにとって必ずしも使い勝手が十分ではなかった。例えば、上記技術によれば同じ名称のドライブが複数存在するレコーダにおいて、あるコンテンツがどのドライブに格納されているかを瞬時に判断することは困難であった。
【０００４】
上記事情に鑑み、本発明は、複数メディアに格納されたコンテンツを同時に表示できる記録再生装置において、それぞれのコンテンツがどのメディアに格納されているのかを容易に判断できる使い勝手の良い記録再生装置を提供することを目的とする。
【課題を解決するための手段】
【０００５】
コンテンツを記録再生する記録再生装置において、前記記録再生装置に着脱可能であり、前記コンテンツが記録される記録媒体と、前記記録媒体が接続される複数のスロットと、前記記録媒体が接続されているスロットに関するスロット情報を含む情報が格納される情報格納部と、表示画面を制御する表示制御部と、を有し、前記表示制御部は、前記スロット情報を用いて、前記コンテンツが記録される記録媒体が前記複数のスロットのいずれに接続されているかを色分け表示するように前記表示画面を制御することを特徴とする。
【発明の効果】
【０００６】
本発明によれば、複数メディアに格納されたコンテンツを同時に表示できる記録再生装置において、それぞれのコンテンツがどのメディアに格納されているのかを容易に判断できる使い勝手の良い記録再生装置を提供することができる。
【発明を実施するための最良の形態】
【０００７】
以下に本発明の実施例について説明する。
【実施例１】
【０００８】
最初に本発明のブロック図を図４に示す。４０はコンテンツ情報格納部であり、メディアに格納されているコンテンツの詳細情報を管理している。コンテンツの詳細情報とは、図７に示されている通り、タイトル、記録日時、格納されているスロット情報などである。４１は表示制御部で、図１のコンテンツ表示画面にて後述する。４２はLEDであり、４３に示すスロットの数と同数存在する。４３はメディアスロットであり、HDD、DVD、iVDR等のメディアが挿入される。
図６はコンテンツ情報格納のフローであり、各メディアスロットにおいてディスクが挿入された際に呼び出される処理を示している。ステップ６０においてディスクの挿入を検知すると、図４の４０で示すコンテンツ情報格納部に通知され（ステップ６１）、コンテンツ格納部は挿入されたメディアからコンテンツ情報を取得し、それぞれのコンテンツのタイトル、格納されているスロット情報、を記録する(ステップ６２)。
図1はサムネイル表示画面の概略である。この図で示すように、コンテンツの格納されているメディア毎に異なる色を付けることで、あるコンテンツがどのメディアに格納されているのかを一目で判断することが可能である。例えば２で示すコンテンツは３で示されるスロット１と同じ色で表示されているため、メディアスロット1に格納されているコンテンツであると分かる。
サムネイル表示のフローを図５に示す。ユーザからサムネイルの表示要求(ステップ５０)があるとコンテンツ情報格納部から、メディアドライブに挿入されている全てのメディアに格納されているコンテンツ情報を取り出し（ステップ５１）、コンテンツを表示する際にどのメディアスロットに格納されているかを確認する(ステップ５２)。コンテンツを一つ一つ画面に表示する際に、取得したメディアドライブ情報を元にコンテンツの色を決定し画面に表示する(ステップ５３)。
【実施例２】
【０００９】
次に、第２の実施形態について説明する。
図２は、サムネイル表示されたコンテンツを選択した状態を示している。あるコンテンツを選択すると、そのコンテンツが格納されているメディアを識別するために備え付けられているメディア毎のアクセスLEDを点灯させることで、ユーザはどのメディアに格納されているのかを判別することが可能である。具体的には、２２で選択したコンテンツは、その色情報からスロット１に格納されていることが分かる。ユーザは２０で示されているスロットに付属するLEDの点灯によってスロット１に格納されたコンテンツであると視覚的に理解できる。その時のフローを図８に示す。ステップ８０でユーザがコンテンツを選択するとは、図２のサムネイル表示においてあるコンテンツをユーザが選択した状態である。この時、ユーザが選択したコンテンツが格納されているメディアドライブを確認し、そのコンテンツが格納されているメディアドライブのスロットに付属するLEDを光らせる(ステップ８２)。
ステップ８３におけるスロットに応じたLEDとは、図２で示されるサムネイル表示画面で示すスロット番号とLEDの関係に対応しており、例えば２２を選択した際にはLED１（２０）が対応する。
【実施例３】
【００１０】
次に、第３の実施形態について説明する。
図３に示すように、３０で示した記録再生を行うシステム本体のメディア毎に設けられているアクセスLEDの色を図２で示したサムネイルの色と同じにすることで、より視覚的にコンテンツとスロットとの関係を明確に示している。
コンテンツ３１を選択した際に、３２のLED点灯と３３の表示を見ることでコンテンツ３１はスロット１に格納されていると分かる。その上で、３２で点灯するLEDの色をコンテンツ３１の色と同色にすることで、ユーザはより明確にコンテンツが格納されているメディアを特定しやすくなる。ユーザがコンテンツを選択した際にLEDを点灯させる動作を示したフローについては、実施例２で説明した図８と同様である。
【００１１】
なお、以上の実施例では、ＬＥＤを例にとって説明を行なったが、本発明においては、これに限定されず、発光する部材であれば、ＬＥＤでなくてもよい。
【００１２】
ここまでで述べた実施例に掛かる発明によって、ユーザは複数のメディアが挿入されている際に、あたかも一つの巨大メディアを一覧表示させているかのように扱うことができる。その上、あるコンテンツがどのメディアに格納されているのか容易に判断できるため、コンテンツの整理、集約、探索において非常に使い勝手を向上させることが可能である。
【産業上の利用可能性】
【００１３】
本発明は複数のメディアドライブを持ち、それらのメディアに記録または再生する装置に利用可能である。
【図面の簡単な説明】
【００１４】
【図１】実施例１のサムネイル表示を説明するための図および実施例２のメディア識別方法を説明するための図
【図２】実施例２のメディア識別方法を説明するための図
【図３】実施例３のメディア識別方法を説明するための図
【図４】実施例１〜３を説明するための機能ブロック図
【図５】ユーザがサムネイル表示を要求した際に色付きサムネイルを作成するためのフロー
【図６】メディアが挿入された際、コンテンツ情報を取得する方法を説明するための図
【図７】コンテンツ情報格納部が保持するコンテンツ情報を示した図
【図８】サムネイル表示でユーザがコンテンツを選択した際にメディアドライブのLEDを光らせる動作を示したフロー
【符号の説明】
【００１５】
４０  コンテンツ情報格納部
４１  表示制御部
４２  LED
４３  メディアドライブ
【図１】
2009277281.tif 000003
【図２】
2009277281.tif 000004
【図３】
2009277281.tif 000005
【図４】
2009277281.tif 000006
【図５】
2009277281.tif 000007
【図６】
2009277281.tif 000008
【図７】
2009277281.tif 000009
【図８】
2009277281.tif 000010